(57)【要約】【課題】本発明は多様なウェブ幅への切替えを容易にした輪転印刷機を提供することを目的とする。【解決手段】複数の給紙部から繰り出されたウェブを複数の印刷部で印刷し、該ウェブを折る折部とを備えた輪転印刷機において、前記印刷部を出たウェブを前記折部に導入する前にウェブ進行方向を変えるターンバーと、前記ウェブを折部に導く複数の三角板とを備え、前記ターンバーを選択あるいは位置調整することにより、多様な幅のウェブを前記複数の三角板に対し自在に位置決め可能としたことを特徴とする。【選択図】      図１
2004338814.tif 000002
【特許請求の範囲】
【請求項１】
巻取紙からウェブを供給する複数の給紙部と、前記給紙部からのウェブに印刷を行う複数の印刷部と、前記複数の印刷部からのウェブを折る折部と、前記ウェブを走行方向に分断するスリッタと、
前記印刷部を出たウェブを前記折部に導入する前にウェブ進行方向を変えるターンバーと、前記ウェブを折部に導く複数の三角板とを備え、使用する前記ターンバーを選択あるいは位置調整することにより、多様な幅のウェブを前記複数の三角板に対し自在に位置決めすることを特徴とする輪転印刷機。
【請求項２】
前記ターンバーは、全ウェブ幅に対応するターンバーと、全ウェブ幅より狭いウェブ幅に対応する少なくとも１個以上のターンバーとを備えたことを特徴とする請求項１記載の輪転印刷機。
【請求項３】
前記給紙部が前記印刷部及び／又は前記折部と同床上に配置され、前記印刷部が前記給紙部に対応して、巻取紙の軸方向と平行に配置され、前記印刷部の上方にターンバーを設け、印刷ウェブの進行方向を９０度又は、ほぼ９０°変えるようにしたことを特徴とする請求項１又は２に記載の輪転印刷機。
【発明の詳細な説明】
【０００１】
【発明の属する技術分野】
本発明は、多種多様なウェブ幅に対応して印刷を行う輪転印刷機に関するものである。
【０００２】
【従来の技術】
新聞印刷では毎日発行される新聞を効率良く印刷するために、専用に設計製作された新聞輪転印刷機が用いられる。
【０００３】
従来における新聞用輪転印刷機について、図８乃至図１４を用いて説明する。図８は従来の全ウェブ幅に対応した新聞用輪転印刷機の上部から見た平面図を示し、図９は図８の正面図、図１０は図９の折部を矢印Ｘの方向から見た側面図を示す。
【０００４】
図８及び図９に示すように、給紙部１ａ、１ｂ、印刷部２ａ、２ｂ及び折部３はウェブが真っ直ぐに走行できる様に一列に配置されている。なお、給紙部１及び印刷部２は、必要に応じて複数設置されているが、ここでは２列として説明する。
【０００５】
給紙部１ａ、１ｂに装着された巻取紙４ａ、４ｂを巻き解いたウェブ５ａ、５ｂは印刷部２ａ、２ｂに送られ、版胴６とブランケット胴７でウェブの両面に印刷される。印刷されたウェブ５ａ、５ｂは折部３に送られる。折部３に入る直前でウェブ５ａ、５ｂはウェブ幅の中央をドラッグローラ９上のスリッタ８で走行方向に切られる。三角板１０ａ、１０ｂの上部にあるドラッグローラ１１とそのドラッグローラ１１に着脱可能に配置された紙押さえローラ１２で押さえられ、ドラッグローラ１１の回転により送られたウェブ５ａ、５ｂは、それぞれ二つの三角板１０ａ、１０ｂで走行方向に折りたたまれる。折部３では断裁され走行方向と直角に折りたたまれた後、図８の矢印の方向に排出される。
【０００６】
また、従来におけるその他の新聞用輪転印刷機について、図１５及び図１６を用いて説明する。図１５は従来のその他の新聞用輪転印刷機を示す平面図で、図１６は図１５の側面図を示す。
【０００７】
複数の給紙装置１を巻取紙４の軸方向に配置し、該給紙装置１に１対１で対応する複数の墨刷ユニット２４と１台の折部３とを巻取紙４の軸方向と平行に配置し、該各墨刷ユニット２４を挟んだ各給紙装置１の反対側で少なくとも１つの墨刷ユニット２４に対応する多色刷ユニット２５を巻取紙４の軸方向に配置し、墨刷ユニット２４及び多色刷ユニット２５を出たウェブ５は半分（２ページ）のサイズに切断された後、多色刷ユニット２４上方に設けられた移動タンバー２６により走行方向を９０度変えて折部３へ導かれる構成となっている。
【０００８】
これにより、新聞用輪転印刷機をコンパクトにすることができ、多色刷の色併せ時における損紙が少なくなり、印刷機の可動効率を向上できる。また、給紙装置と多色刷ユニットとの間に設置した移動タンバーにより、多色刷を編集に応じた位置に容易に挿入できる（例えば、特許文献１参照）。
【０００９】
このように新聞印刷では、ページの大きさが決まっていて、印刷機ごとに対応するウェブ幅も決まっており、通常は図１１に示すように、幅方向に４ページであるが、ページの割付が変わって紙幅が変化するのは、図１２に示す幅方向に３ページか、図１３に示すように２ページが配置される場合が多い。さらに、３ページ幅又は２ぺージ幅のウェブ位置は図１２、図１３図示位置以外の各種パターンがある。
【００１０】
ここで、図１１乃至図１４を用いて、新聞印刷を行う場合の版とウェブを走行方向に分断するスリッタと三角板との位置関係について説明する。図１１は新聞の標準のウェブ幅（全幅ウェブ）を印刷する場合の位置関係を示し、図１２は４分の３幅のウェブを図中上側で印刷する場合の位置関係、図１３は半幅のウェブを図中上側で印刷する場合の位置関係を示し、図１４に非標準の例えば狭いウェブ幅を印刷する場合における版とスリッタと三角版との位置関係を示す。
【００１１】
ウェブ５ａ、５ｂの幅方向位置は、版胴の版２１の位置で決まる。紙幅を変更した場合でも、折部３に対しウェブ５ａ、５ｂのページの位置が固定されている。折部３での三角板１０ａ、１０ｂの位置も折部中心に対して対称に配置されており、ページの折線１３、１４に対応した位置にある。また、ウェブ５ａ、５ｂを縦方向に断裁するスリッタ８がページに対応した位置に配置されている。さらに、折部３にウェブ５ａ、５ｂを送り込むための紙押えローラ１２はウェブ５ａ、５ｂの非印刷部分（ページの両端にある）を押える必要がある。
【００１２】
しかしながら、この新聞用輪転印刷機で新聞以外の非標準のウェブ幅の印刷を行う場合、標準のウェブ幅を印刷する場合と違って多様な幅のウェブに印刷し、折って排出しなくてはならない。その場合、三角板１０ａ、１０ｂの位置が折線１３、１４の位置の変化に対応して変わることとなる。
【００１３】
従い、三角板１０ａ、１０ｂの大きさは標準のウェブ幅に対応していなければならないので、図１１に示すようになっている。図１４に示す非標準のウェブ幅の場合、折線１３、１４と二つの三角板１０ａ，１０ｂの先端２３ａ、２３ｂを一致させるため、二つの三角板１０ａ、１０ｂは近づかなければならないが、三角板１０ａ及び１０ｂの中央側１５が重なってしまう。そこで、中央側１５の重なった部分を着脱可能な交換部品１６ａ、１６ｂとし、中央側１５が重ならないように三角版１０ａ及び１０ｂを近づける。この交換部品１６ａ、１６ｂをウェブ幅にあわせて数種類用意しておき、多様なウェブ５ａ、５ｂの幅に応じて取替えている。
【００１４】
【特許文献１】
実開平３−７０９３４号公報
【００１５】
【発明が解決しようとする課題】
上記したようにウェブ幅を変更した場合、三角板の位置をウェブ幅の違いに応じて移動させる必要がある。つまり、標準の新聞印刷から非標準のウェブ幅の印刷に切替える場合と、その逆の場合との両方で少なくとも輪転機中心位置にある紙押えローラ１２ａ、１２ｂ以外の押えローラ１２の位置調整、及び三角板１０ａ、１０ｂの２組の位置調整と三角板干渉部の部品１６ａ、１６ｂの取外し、取付けの交換が必要となり、ウェブ幅の切替えに要する時間が長くかかる。また、切替作業を自動化する際、ウェブ幅に応じて三角板１０ａ、１０ｂ、ドラッグローラ１１上の紙押えローラ１２ａ、１２ｂ以外の紙押えローラ１２を自動的に調整移動して位置決めを必要とする箇所が多くなるため、印刷機の構造が複雑で高価になる。
【００１６】
さらに、新聞印刷においてとりわけ非主流の印刷の場合、折り構成が多様で三角板１０ａ又は１０ｂに振り分ける印刷紙の割合を変える事が多い。すなわち、図１１を例に説明すると、Ａ，Ｂ面のウェブを三角板１０ａへ、あるいは逆に、Ｃ，Ｄ面のウェブを三角板１０ｂへ位置変更する事で達成できるが、この為には、別に多数のターンバー装置を必要とし、輪転機に大きなスペースと費用を必要となる。また、印刷運転時の複雑なスキルと要員が必要であった。
【００１７】
また最大の問題は、輪転印刷機にとって主流となる、印刷量が多く、速度も要求される新聞印刷の運転条件及び状態を崩さねばならないことである。新聞印刷は毎日決まった時刻に最新の記事を印刷して供給しなければならず、非主流の印刷（例えば、非標準ウェブ幅の印刷）のために、混乱することは避けなければならないのは当然である。従って、今日の非主流の印刷と言われる多様な印刷物形態及び運転条件に対応できる輪転印刷機とする為には、給紙部から折部に至るまでの各装置の操作性を良くし、小人数で容易にコントロール可能とする必要がある。
【００１８】
本発明は、上記した問題に鑑みてなされたものであって、輪転印刷機を構成する各部の配置を工夫することで以上の問題を解決するものである。
【００１９】
【課題を解決するための手段】
上記課題を解決するために、請求項１に記載の本発明は、巻取紙からウェブを供給する複数の給紙部と、前記給紙部からのウェブに印刷を行う複数の印刷部と、前記複数の印刷部からのウェブを折る折部と、前記ウェブを走行方向に分断するスリッタと、前記印刷部を出たウェブを前記折部に導入する前にウェブ進行方向を変えるターンバーと、前記ウェブを折部に導く複数の三角板とを備え、使用する前記ターンバーを選択あるいは位置調整することにより、多様な幅のウェブを前記複数の三角板に対し自在に位置決めすることを特徴とする。
【００２０】
上記構成によれば、ターンバーの位置を調整することにより、多様なウェブ幅を任意の三角版１０へ容易に導くことができ、標準の新聞印刷及び非標準の印刷の切替え作業が容易に行えるとともに、切替え時間が大幅に短縮される。
【００２１】
また、上記課題を解決するために、請求項２に記載の本発明は、請求項１記載の本発明において、前記ターンバーは、新聞印刷の全ウェブ幅に対応するターンバーと、全ウェブ幅より狭いウェブ幅に対応する少なくとも１個以上のターンバーとを備えたことを特徴とする。
【００２２】
上記構成によれば、新聞印刷とそれ以外の印刷のウェブ幅に応じて、最適なターンバーを適宜選択して三角板へ導くことができるので、非標準から標準の新聞印刷への切替を容易に行うことができる。すなわち、新聞印刷に要求される効率性を阻害することなく非標準の多様なウェブ幅に対応し、さらには切替の自動化を容易に行うことができる。これにより、輪転印刷機の設備コストを低くでき、さらには印刷効率の向上が計られる。
【００２３】
また、上記課題を解決するために、請求項３に記載の本発明は、請求項１又は２に記載の本発明において、前記給紙部が前記印刷部や前記折部と同床上に配置され、前記各印刷部が前記各給紙部に対応して、巻取紙の軸方向と平行に配置され、前記印刷部の上方にターンバーを設け、印刷ウェブの進行方向をほぼ９０°変えるようにしたことを特徴とする。
【００２４】
上記構成によれば、ウェブ幅の切替え作業を同床上にて行うことができるので、切替えに要する作業時間、人員が大幅に減少されるとともに、操作性が向上される。また、多種ウェブ幅に対応可能な高速大型輪転機とすることができる。
【００２５】
【発明の実施の形態】
（第１の実施の形態）
本発明の第１の実施の形態に係る輪転印刷機について図１乃至図４を用いて説明する。図１は、一配列の輪転印刷機の上部から見た平面図を示し、図２は図１の正面図を示す。また、図３は標準とは異なるウェブ幅（非新聞ウェブ幅）を印刷する場合の版胴の版、スリッタ、ターンバー、紙押えローラと三角板の位置関係を示し、図４に標準のウェブ幅（新聞ウェブ幅）を印刷する場合の版胴の版、スリッタ、ターンバー、紙押えローラと三角板の位置関係を示す。但し、第１の実施の形態に記載される構成部品の寸法、材質、形状、その相対位置などは特に特定的な記載が無い限り、この発明の範囲をそれのみに限定する趣旨ではなく、単なる説明例に過ぎない。なお、前記した従来のものと同一の部位については図中同一の符号を付して示し、それらについての重複する説明は省略する。
【００２６】
図１において、給紙部１ａ、１ｂと印刷部２ａ、２ｂは従来の方法と同様一列に配置されていて、ウェブ５ａ、５ｂは折部３に入る前までは真っ直ぐに走行する。折部３は従来と同様の構成で図１に示すように、給紙部１ａ、１ｂ及び印刷部２ａ、２ｂの列と直角に配置されていて、折り終えた印刷物は図１の矢印方向に排出される。
【００２７】
印刷部２ａ、２ｂを出たウェブ５ａ、５ｂが折部３に進むために直角に進路変更する必要がある。このために図３に示すように、一つのウェブに二組のターンバー１７，１８を配置している。このターンバー１７，１８は分割された二つのウェブ１９，２０の中央折線１３、１４が三角板１０ａ、１０ｂの先端２３ａ、２３ｂにそれぞれ一致するように走行させるため、図３に示す矢印の方向に図示しない調整装置で位置変更が可能になっている。また、標準の新聞印刷用のウェブに対しては専用のターンバー２２を図１および図４に示すようにターンバー１７、１８とは別の経路に設置している。
【００２８】
図２及び図３を用いて、非標準の狭いウェブ幅に印刷を行う場合について説明する。給紙部１ａ、１ｂと印刷部２ａ、２ｂの関係は従来と同様であるので、ウェブ幅を変更した場合も従来の方法と同様、ウェブ幅の中央が機械の中心線に一致するように走行させる。印刷されたウェブ５ａ、５ｂはドラッグローラ９上でスリッタ８により従来の方法と同じく走行方向に分割される。分割されたウェブ１９，２０は、それぞれターンバー１７，１８で図３のようにウェブ１９の折線１３が三角板１０ｂの先端２３ｂに一致するよう走行方向を直角に変える。同様にウェブ２０の折線１４が三角板１０ａの先端２３ａに一致するよう走行方向を直角に変える。これにより、三角板の位置は固定したままで、必要な折を得る事が出来る。
【００２９】
新聞印刷の場合は、二つのウェブ１９，２０は共に、基準の位置にあるターンバー２２によって方向転換される。このターンバー２２は、図２に示すように標準の全ウェブ幅に対応する長さを有し、それ以外の狭いウェブ幅の場合のターンバー１７、１８は、ターンバー２２とは違う経路に配置されている。三角板１０ａ、１０ｂの位置はウェブ１９、２０の折線１３、１４と三角板の先端２３ａ、２３ｂと一致する位置にあるので、ウェブ幅の変化によって動かす必要はない。
【００３０】
以上の説明で明らかなように、ウェブ幅を新聞印刷から新聞以外の非標準の印刷に切替える場合に、位置変更の必要な部品は三角板上のドラッグローラ１１上の紙押えローラ１２のうち１２ａ、１２ｂ、１２ｃ、１２ｄの４個のローラを移動させ、ターンバー１７、１８の位置を調整すれば良い。非標準の印刷から新聞印刷に切替える場合は、紙押えローラ１２の内、前述の４個のローラ位置を移動させるだけで、ウェブをターンバー２２のある経路に通せば良い。
【００３１】
また、新聞印刷において、ターンバー１７、１８を用いて、例えば、ターンバー１７をウェブ２０の中心線１４と三角版１８ｂの中心線２３ｂとが一致する位置へ移動することにより、ウェブ２０を三角板１０ｂに導入することも可能となる。つまり、標準の新聞印刷（４ページ、３ページ、２ページあるいは１ページの紙幅）、非標準の印刷において、ターンバー１７、１８あるいは２２を適宜選択し位置を調整することにより、任意の三角版１０へ導くことができる。したがって、ターンバーは全ウェブ幅に対応するターンバーと、全ウェブ幅以外の狭いウェブ幅に対応する少なくとも１つのターンバーがあれば、標準の新聞印刷を行う場合でも、非標準のウェブ幅に印刷を行う場合でも対応することができる。なお、ターンバーの数は、三角版の数と同じか、又は１つ多く設置すればよい。
【００３２】
（第２の実施の形態）
本発明の第２の実施の形態について図５乃至図７を用いて説明する。図５は、輪転印刷機の上部から見た平面図を示し、図６は図５の正面図を示し、図７は図６の側面図を示す。なお、前記した実施例のものと同一の部位については図中同一の符号を付して示し、それらについての重複する説明は省略する。
【００３３】
図５において、給紙部１ａ、１ｂ、印刷部２ａ、２ｂは、従来例２と同様、巻取紙の軸方向に平行に配置されており、給紙部１は印刷部２に１対１で対応つけられている。また、複数の給紙部が一つの印刷部に対応つけられてもよい。図７に示すように、給紙部１ａ（１ｂ）から繰り出されたウェブ５ａ（５ｂ）は印刷部２ａ（２ｂ）にて印刷された後、印刷部２ａ（２ｂ）の上方に設置されたターンバー１７，１８あるいは２２により９０度ターンされて、三角版１０ａ、１０ｂに導かれて折部３に入る。折部３は図５に示すように、印刷部２ａ、２ｂと同一列に配置されていて、実施の形態１と同様に、折り終えた印刷物は図１の矢印方向に排出される。
【００３４】
【発明の効果】
以上説明したように、請求項１の本発明によれば、ターンバーの位置を調整することにより、多様なウェブ幅を任意の三角版１０へ導くことができ、標準の新聞印刷及び非標準の印刷の切替え作業が容易に行えるとともに、切替え時間が大幅に短縮される。
【００３５】
また、請求項２の本発明によれば、新聞印刷とそれ以外の印刷のウェブ幅に応じて、最適なターンバーを適宜選択して三角板へ導くことができるので、非標準から標準の新聞印刷への切替を容易に行うことができる。すなわち、新聞印刷に要求される効率性を阻害することなく非標準の多様なウェブ幅に対応し、さらには切替の自動化を容易に行うことができる。これにより、輪転印刷機の設備コストを低くでき、さらには印刷効率の向上が計られる。
【００３６】
また、請求項３の本発明によれば、ウェブ幅の切替え作業を同床上にて行うことができるので、切替えに要する作業時間、人員が大幅に減少されるとともに、操作性が向上される。また、多種ウェブ幅に対応可能な高速大型輪転機とすることができる。
【図面の簡単な説明】
【図１】本発明の第１の実施の形態に係る新聞用輪転印刷機の平面図である。
【図２】本発明の第１の実施の形態に係る図１の正面図である。
【図３】本発明の第１の実施の形態に係る標準とは異なるウェブ幅を印刷する場合の版胴の版、スリッタ、ターンバー、紙押えローラ及び三角板の位置関係を示す概略図である。
【図４】本発明の第１の実施の形態に係る標準のウェブ幅を印刷する場合の版胴の版、スリッタ、ターンバー、紙押えローラと三角板の位置関係を示す概略図である。
【図５】本発明の第２の実施の形態に係る新聞用輪転印刷機の平面図である。
【図６】本発明の第２の実施の形態に係る図５の正面図である。
【図７】本発明の第２の実施の形態に係る図６の側面図である。
【図８】従来の一列配置の新聞用輪転印刷機を示す平面図である。
【図９】従来の一列配置の新聞用輪転印刷機を示す正面図である。
【図１０】図９のＸ矢視図である。
【図１１】従来の新聞の標準全幅ウェブにおける、版とスリッタと三角板の位置関係を示す概略図である。
【図１２】従来の新聞の４分の３幅ウェブにおける、版とスリッタと三角板の位置関係を示す概略図である。
【図１３】従来の新聞の半幅ウェブにおける、版とスリッタと三角板の位置関係を示す概略図である。
【図１４】従来の非標準のウェブ幅における、版とスリッタと三角板の位置関係を示す概略図である。
【図１５】従来のその他の新聞用輪転印刷機を示す平面図である。
【図１６】従来のその他の新聞用輪転印刷機を示す正面図である。
【符号の説明】
１ａ、１ｂ  給紙部
２ａ、２ｂ  印刷部
３  折部
４ａ、４ｂ  巻取紙
５ａ、５ｂ  ウェブ
６  版胴
７  ブランケット胴
８  スリッタ
９  ドラッグローラ
１０ａ、１０ｂ  三角板
１１  ドラッグローラ
１２（１２ａ，１２ｂ，１２ｃ，１２ｄ）  紙押えローラ
１３  折線
１４  折線
１５．  三角板中央側
１６ａ、１６ｂ  交換部品
１７  ターンバー
１８  ターンバー
１９  分割されたウェブ
２０  分割されたウェブ
２１  版
２２  専用ターンバー
２３ａ、２３ｂ  三角板先端
２４  墨刷ユニット
２５  多色刷ユニット
２６  移動タンバー
【図１】
2004338814.tif 000003
【図２】
2004338814.tif 000004
【図３】
2004338814.tif 000005
【図４】
2004338814.tif 000006
【図５】
2004338814.tif 000007
【図６】
2004338814.tif 000008
【図７】
2004338814.tif 000009
【図８】
2004338814.tif 000010
【図９】
2004338814.tif 000011
【図１０】
2004338814.tif 000012
【図１１】
2004338814.tif 000013
【図１２】
2004338814.tif 000014
【図１３】
2004338814.tif 000015
【図１４】
2004338814.tif 000016
【図１５】
2004338814.tif 000017
【図１６】
2004338814.tif 000018